【事件の表示】
　特願２００９−２８３６６６号「島設備の台間装置」拒絶査定不服審判事件〔平成２３年６月３０日出願公開、特開２０１１−１２５３６８号〕について、次のとおり審決する。
【結　論】
　本件審判の請求は、成り立たない。
【理　由】
１　手続の経緯の概要
　本願は、平成２１年１２月１５日の出願であって、平成２４年３月２日付けで拒絶の理由が通知され、同年５月９日に意見書及び手続補正書が提出され、平成２５年２月７日付けで最後の拒絶の理由が通知され、同年４月１０日に意見書及び手続補正書が提出されたところ、同年５月２２日付けで、同年４月１０日に提出された手続補正書でした補正の却下の決定がなされ、同日付けで拒絶査定がなされ（発送日：同年５月２７日）、それに対し、同年８月２７日に拒絶査定不服審判の請求がなされると同時に明細書及び特許請求の範囲に係る手続補正書が提出され、当審にて平成２６年９月２日付けで拒絶理由を通知したところ、同年１１月７日付けで意見書及び手続補正書が提出され、当審にてさらに、同年１２月２日付けで拒絶理由を通知したところ、平成２７年２月４日付けで意見書が提出されたものである。
　
２　本願発明
　本願の請求項１に係る発明（以下「本願発明」という。）は、平成２６年１１月７日付け手続補正書により補正された特許請求の範囲の請求項１に記載された事項により特定される次のとおりのものである。
「島設備の隣接する遊技機間に設置され、前方に向かって送風することによりエアカーテンを形成可能な島設備の台間装置において、
　前記島設備における遊技機の側方近傍に設置可能とされた装置本体と、
　該装置本体内で上下方向に延びた回転軸を中心に回転可能に配設されるとともに、側面に送風のための羽根が形成された略円筒状のファン部材と、
　該ファン部材を前記装置本体に取り付けるためのフレームと、
　該フレームにおけるファン部材の一端側に配設され、当該ファン部材を回転軸を中心として回転駆動させるモータと、
を具備し、前記ファン部材及びモータを前記フレームに組み付けて送風ユニットを構成するとともに、当該送風ユニットを前記装置本体内において上下一対配設して、上側の送風ユニットには前記ファン部材の下端側に前記モータが配設され、且つ、下側の送風ユニットには前記ファン部材の上端側に前記モータが配設されたものとし、前記上側の送風ユニットのモータと下側の送風ユニットのモータとの配設範囲を前記装置本体の側方近傍に設置される遊技機の前扉の高さ方向の略中央に位置させ、当該配設範囲に、遊技機の前扉と当接又は近接して当該前扉の開放を規制するロック部及び前記装置本体の正面から背面に向かって延設されて当該ロック部をロック位置と非ロック位置との間で移動させる移動機構を有したロック機構を配設したことを特徴とする島設備の台間装置。」
　
３　刊行物の記載
（１）当審における平成１２月２日付けで拒絶理由拒絶の理由に引用された刊行物４：特開２００８−１４８７２３号公報（以下「刊行物４」という。）には、図面とともに以下の事項が記載されている（下線は審決で付した。以下同じ。）。
　
　　ア　「【技術分野】
【０００１】
　本発明は、各遊技機に隣接して設置される少なくとも遊技媒体を貸し出す機能を有する遊技機用台間機であって、特に他の遊技者からの煙草の煙による害を防止するための遊技機用台間機に関する。」
　
　　イ　「【発明が解決しようとする課題】
【００１０】
　ところが、従来における煙草の煙が隣の非喫煙者に流れるのを防止する各装置においては、エアーカーテンを形成する空気噴出装置を各遊技機の間に設置する必要があるが、上述したメダルサンドを使用する場合には、当該メダルサンドと、前記空気噴出装置とを共に各遊技機の間に設置しなければならない。このため、各遊技機の間隔が大きくなってしまい、遊技場に設置することが可能なスロットマシンの台数が減少してしまうという問題がある。
【００１１】
　本発明は、上記事情に鑑みてなされたものであり、遊技媒体を貸出すことができると共に、
煙草の煙が隣りの遊技者に及ぶのを防止することができ
　
　　ウ　「【００３８】
　
スロットマシン２は、外周部が矩形状の筐体２１によって覆われていると共に、この筐体２１の正面開口部を覆うように扉２２が設けられている
　
　　エ　「【００４２】
　
遊技機用台間機１
筐体１１の左右の側面がスロットマシン２の筐体２１の右側又は左側の側面に隣接するようにして遊技場の各島に設置され
紙幣挿入スロット１１ａ、硬貨投入口１１ｂ及びメダル受皿１１ｃは、筐体１１の正面の上下方向におけるほぼ中央の位置に配置されている
【００４３】
　空気噴出口１２は、紙幣挿入スロット１１ａの上側に配置された上部空気噴出口１２ａと、メダル受皿１１ｃの下側に配置された下部空気噴出口１２ｂとを備えた構成になっている。即ち、
上部空気噴出口１２ａは筐体１１の正面の上部に配置され、下部空気噴出口１２ｂは筐体１１の正面の下部に配置されている
【００４４】
　上部空気噴出口１２ａは、筐体１１の正面における幅方向の中央部にあって、当該筐体１１の正面の上端近傍から紙幣挿入スロット１１ａの近傍まで上下方向に細長く延在するように形成されている。そして、この上部空気噴出口１２ａは、
筐体１１内に設置された送風機１３
空気を
正面から前方に噴出し
エアーカーテンを形成する
【００４５】
　下部空気噴出口１２ｂは、図１に示すように、筐体１１の正面における幅方向の中央部にあって、当該筐体１１の正面の下端近傍からメダル受皿１１ｃの近傍まで上下方向に細長く延在するように形成されている。そして、この下部空気噴出口１２ｂは、送風機１３から供給される
空気を筐体１１の正面から前方に噴出し
エアーカーテンを形成する
　
　　オ　「【００５２】
　
送風機駆動部１６ｅは
送風機１３を駆動制御する
　
　　カ　「【００５４】
　
送風機１３は、
上部空気噴出口１２ａ及び下部空気噴出口１２ｂに空気を供給する
　
　上記ア〜カの記載を総合すると、刊行物４には、次の発明が記載されていると認められる（以下「刊行物４発明」という。）。
「スロットマシン２に隣接するようにして遊技場の各島に設置され、空気を正面から前方に噴出しエアーカーテンを形成する遊技機用台間機１において、
　スロットマシン２を覆う外周部が矩形状の筐体２１の正面開口部を覆うように扉２２が設けられ、　
　左右の側面がスロットマシン２の筐体２１の右側又は左側の側面に隣接するようにされた筐体１１と、
　筐体１１内に送風機１３と、送風機１３を駆動制御する送風機駆動部１６ｅとを備え、
　送風機１３は、筐体１１の正面の上部に配置された上部空気噴出口１２ａ及び筐体１１の正面の下部に配置された下部空気噴出口１２ｂに空気を供給し、
　筐体１１の正面の上下方向におけるほぼ中央の位置に、紙幣挿入スロット１１ａ、硬貨投入口１１ｂ及びメダル受皿１１ｃを配置した
　遊技機用台間機１。」
　
（２）同じく、当審における平成１２月２日付けで拒絶理由拒絶の理由に引用された刊行物３：特開平１１−３０３２５９号公報（以下「刊行物３」という。）には、図面とともに以下の事項が記載されている。
　
　　ア　「【０００１】
【発明の属する技術分野】本発明は、
喫煙場所等における煙が外部に流れ出るのを防ぐためのエアカーテンを形成可能な
　
　　イ　「【００１１】
空気循環装置５
【００１２】循環機構２は、図２、図３に示すように、直列させた
一対のシロッコファン２１
各シロッコファン２１の一端側に配設された電動モータ２２と
シロッコファン２１
両端に軸部２１１を有し、これら軸部２１１間に亘って前記長手方向に延びる複数の翼板２１２を、概略放射状に配設した
軸部２１１は軸受２３に枢支されている
軸受２３をファン取付金具２５によってリアカバー５３に取付ける
空気は
噴出口４から噴出し
エアカーテンＡＲを形成する
　
　　ウ　上記イの記載及び【図２】の図示内容によると、
シロッコファン２１
電動モータ２２と
ファン取付金具２５
ユニットを空気循環装置５内の長手方向に一対配設したこと
　
　上記ア〜イの記載、及び、【図２】の図示内容を総合すると、刊行物３には、次の技術事項が記載されていると認められる（以下「刊行物３に示された技術事項」という。）。
「空気を長手方向に設けられた２つの噴出口４から噴出し、エアカーテンＡＲを形成する空気循環装置５において、
　両端に軸部２１１を有し、これら軸部２１１間に亘って長手方向に延びる複数の翼板２１２を、概略放射状に配設した一対のシロッコファン２１と、
　軸部２１１を枢支する軸受２３をリアカバー５３に取付けるファン取付金具２５と、
　各シロッコファン２１の一端側に配設された電動モータ２２と、
　を備え、
　シロッコファン２１と電動モータ２２とをファン取付金具２５に取り付けてユニットを構成し、ユニットを空気循環装置５内の長手方向に一対配設した空気循環装置５。」
　
４　対比
　刊行物発明４と本願発明とを対比する（以下、「刊行物４発明」、「本願発明」を、それぞれ、「前者」、「後者」といい、「前者」と「後者」を併せて「両者」という。）。
　
　ア　前者における「スロットマシン２に隣接するようにして遊技場の各島に設置され、空気を正面から前方に噴出しエアーカーテンを形成する遊技機用台間機１」は、その構成及び機能からみて、後者における「島設備の隣接する遊技機間に設置され、前方に向かって送風することによりエアカーテンを形成可能な島設備の台間装置」に相当する。
　
　イ　前者における「左右の側面がスロットマシン２の筐体２１の右側又は左側の側面に隣接するようにされた筐体１１」は、その構成及び機能からみて、後者における「島設備における遊技機の側方近傍に設置可能とされた装置本体」に相当する。
　              　
　ウ　前者における「筐体１１内に送風機１３」と、「送風機１３を駆動制御する送風機駆動部１６ｅ」とを備えることと、後者における「装置本体内で上下方向に延びた回転軸を中心に回転可能に配設されるとともに、側面に送風のための羽根が形成された略円筒状のファン部材と、ファン部材を前記装置本体に取り付けるためのフレームと、フレームにおけるファン部材の一端側に配設され、ファン部材を回転軸を中心として回転駆動させるモータと、を具備し、ファン部材及びモータをフレームに組み付けて送風ユニットを構成するとともに、送風ユニットを装置本体内において上下一対配設して、上側の送風ユニットにはファン部材の下端側にモータが配設され、且つ、下側の送風ユニットにはファン部材の上端側にモータが配設されたものとし、上側の送風ユニットのモータと下側の送風ユニットのモータとの配設範囲を装置本体の側方近傍に設置される遊技機の前扉の高さ方向の略中央に位置させ」ることとを対比する。
　両者は、「装置本体内に、ファン部材とファン部材を回転軸を中心として回転駆動させる駆動部とを具備する」ことで共通する。
　
　エ　前者における「紙幣挿入スロット１１ａ、硬貨投入口１１ｂ及びメダル受皿１１ｃが、筐体１１の正面の上下方向におけるほぼ中央の位置に配置された」ことと、後者における「当該配設範囲に、遊技機の前扉と当接又は近接して当該前扉の開放を規制するロック部及び前記装置本体の正面から背面に向かって延設されて当該ロック部をロック位置と非ロック位置との間で移動させる移動機構を有したロック機構を配設した」こととを対比する。
　前者における「紙幣挿入スロット１１ａ、硬貨投入口１１ｂ及びメダル受皿１１ｃ」と後者における「ロック部及びロック機構」とは、遊技機に関連する何らかの機能を奏する部品といえるから、両者は、「遊技機の前扉の高さ方向の略中央の配設範囲に、機能部品を配設した」ことで共通する。
　
　上記ア〜エより、本願発明と刊行物４発明とは、
「島設備の隣接する遊技機間に設置され、前方に向かって送風することによりエアカーテンを形成可能な島設備の台間装置において、
　前記島設備における遊技機の側方近傍に設置可能とされた装置本体と、
　該装置本体内に、ファン部材と当該ファン部材を回転軸を中心として回転駆動させる駆動部とを具備し、
　遊技機の前扉の高さ方向の略中央の配設範囲に、機能部品を配設した
　島設備の台間装置。」
　の点で一致し、次の点で相違する。
　
［相違点１］
　装置本体内に具備されたファン部材とファン部材駆動部とに関して、
　本願発明は、装置本体内で上下方向に延びた回転軸を中心に回転可能に配設されるとともに、側面に送風のための羽根が形成された略円筒状のファン部材と、ファン部材を装置本体に取り付けるためのフレームと、フレームにおけるファン部材の一端側に配設され、ファン部材を回転軸を中心として回転駆動させるモータと、を具備し、ファン部材及びモータをフレームに組み付けて送風ユニットを構成するとともに、当該送風ユニットを装置本体内において上下一対配設して、上側の送風ユニットにはファン部材の下端側にモータが配設され、且つ、下側の送風ユニットにはファン部材の上端側にモータが配設されたものとし、上側の送風ユニットのモータと下側の送風ユニットのモータとの配設範囲を装置本体の側方近傍に設置される遊技機の前扉の高さ方向の略中央に位置させるのに対して、
　刊行物４発明は、筐体１１内に送風機１３と、送風機１３を駆動制御する送風機駆動部１６ｅとを備えるが、本願発明の上記構成を備えない点。
　
［相違点２］
　遊技機の前扉の高さ方向の略中央の配設範囲に配設された機能部品に関して、
　本願発明は、当該配設範囲に、遊技機の前扉と当接又は近接して当該前扉の開放を規制するロック部及び前記装置本体の正面から背面に向かって延設されて当該ロック部をロック位置と非ロック位置との間で移動させる移動機構を有したロック機構を配設したのに対して、
　刊行物４発明は、当該配設範囲に紙幣挿入スロット１１ａ、硬貨投入口１１ｂ及びメダル受皿１１ｃが、筐体１１の正面の上下方向におけるほぼ中央の位置に配置されたが、本願発明の上記構成を具備しない点。
　
５　当審の判断
（１）相違点１について検討する。
　刊行物３に示された技術事項の「空気循環装置５において、両端に軸部２１１を有し、これら軸部２１１間に亘って」「延びる複数の翼板２１２を、概略放射状に配設した一対のシロッコファン２１」、
「軸部２１１を枢支する軸受２３をリアカバー５３に取付けるファン取付金具２５」、
「各シロッコファン２１の一端側に配設された電動モータ２２」、及び、
「シロッコファン２１と電動モータ２２とをファン取付金具２５に取り付けてユニットを構成し、ユニットを空気循環装置５内」「に一対配設した」ことは、それぞれ、
　本願発明の「装置本体内で」「回転軸を中心に回転可能に配設されるとともに、側面に送風のための羽根が形成された略円筒状のファン部材」、
「ファン部材を装置本体に取り付けるためのフレーム」、
「フレームにおけるファン部材の一端側に配設され、ファン部材を回転軸を中心として回転駆動させるモータ」、及び、
「ファン部材及びモータをフレームに組み付けて送風ユニットを構成するとともに、送風ユニットを装置本体内において」「一対配設」することに相当する。
　そして、刊行物３に示された技術事項は、２つの噴出口４を備え、喫煙場所等における煙が外部に流れ出るのを防ぐためのエアカーテンを形成するものである。
　一方、刊行物４発明は、上部空気噴出口１２ａ及び下部空気噴出口１２ｂを備え、煙草の煙が隣りの遊技者に及ぶのを防止するものである（上記３（１）イ参照。）。
　そうすると、刊行物４発明と刊行物３に示された技術事項とは、煙草の煙が他の空間に及ぶのを防止するという共通の課題を解決するものであると共に、長手方向に延びる２つの噴出口から空気を噴出してエアカーテンを形成する装置という共通の技術分野に属するものである。
　そして、エアーカーテンを形成する技術分野において、両側に設けた２つのファン部材の中間部にモータを配設することは、本願出願前に広く行われている技術事項である（必要ならば、例えば、当審における平成２６年１２月２日付け拒絶の理由に刊行物２として引用された実願平０４−０１１５５１号（実開平０５−０７３４３６号）のＣＤ−ＲＯＭの【００１１】、同じく、当審における平成２６年１２月２日付け拒絶の理由に刊行物６として引用された特開２００２−２０２０８７号公報の【０００２】等を参照のこと。）。
　これらのことからみて、当業者が、刊行物４発明の上下方向に延びた遊技機台間装置１に、煙草の煙が他の空間に及ぶのを防止するという共通の課題を解決するために、刊行物３に示された長手方向に延びた空気循環装置５に関する技術事項を適用し、各ユニットにおける、モータの配設位置を略中央として、上記相違点１に係る本願発明が具備する発明特定事項に到達することは、容易になし得たものである。
　
（２）相違点２について検討する。
　刊行物４発明は、上部空気噴出口１２ａと下部空気噴出口１２ｂとの中間部、すなわち、遊技機用台間機１の上下方向の略中央に、紙幣挿入スロット１１ａ、硬貨投入口１１ｂ及びメダル受皿１１ｃ等の機能部品を配設させたものである。
　また、刊行物４発明のスロットマシン２は、外周部が矩形状の筐体２１によって覆われていると共に、この筐体２１の正面開口部を覆うように扉２２が設けられているものである。
　そして、遊技機の技術分野において、台間装置の遊技機の前扉の高さ方向の略中央に、機能部品として、遊技機の前扉と当接又は近接して前扉の開放を規制するロック部及び装置本体の正面から背面に向かって延設されてロック部をロック位置と非ロック位置との間で移動させる移動機構を有したロック機構とを位置させることは、本願出願前に周知の技術事項である（例えば、当審における平成２６年１２月２日付け拒絶の理由に刊行物７として引用された特開２００８−２７２０００号公報には、島設備の台間装置の高さ方向中央部に、遊技機の前扉と当接又は近接して前扉の開放を規制するストッパ片３を設けたこと（特に図２、図５等を参照。）が開示され、同じく、当審における平成２６年１２月２日付け拒絶の理由に刊行物９として引用された特開２００８−３６１４３号公報には、メダル貸出機１の高さ方向の略中央に、ロックバー１００を設けたことが記載されている。）。
　したがって、当業者が、刊行物４発明において、台間装置の高さ方向の略中央に位置する機能部品として、上記周知の前扉の開放を規制するロック部とロック機構とを採用して、上記相違点２に係る本願発明が具備する発明特定事項に到達することは必要に応じてなし得たものである。
　
（３）効果について
　本願発明により奏される効果は、当業者が、刊行物４発明、刊行物３に示された技術事項、及び、周知の技術事項から予測し得る範囲内のものであって、格別のものではない。
　
（４）小括
　上記（１）ないし（３）において検討したように、本願発明は、当業者が刊行物４発明、刊行物３に示された技術事項、及、び周知の技術事項に基づいて容易に発明をすることができたものである。
　
６　むすび
　以上のとおりであるから、本願発明は、特許法第２９条第２項の規定により特許を受けることができない。
　したがって、本願は他の請求項について検討するまでもなく拒絶すべきものである。
　
　よって、結論のとおり審決する。